(57)【要約】  端末装置と基地局装置が互いに、上りリンクチャネルを用いて効率的に通信することができる。端末装置は、第１の制御情報を含む制御チャネルの検出に基づいてトランスポートブロックを第１の共用チャネルで送信し、第１の識別子によってスクランブルされたＣＲＣパリティビットをともなう前記第１の制御情報に対して、前記トランスポートブロックのサイズは、前記第１の制御情報に対応する前記トランスポートブロックと同じトランスポートブロックの初期送信のための第２の共用チャネルがランダムアクセスレスポンスグラントによってスケジュールされたかどうかに基づいて、前記第１の識別子によってスクランブルされたＣＲＣパリティビットをともなう前記第１の制御情報に含まれる第１の情報フィールドを用いて与えられる。
2017073135.tif 000002
【特許請求の範囲】
【請求項１】
第１の制御情報を含む制御チャネルを受信する受信部と、
前記第１の制御情報を含む前記制御チャネルの検出に基づいて、トランスポートブロックを第１の共用チャネルで送信する送信部と、を備え、
第１の識別子によってスクランブルされたＣＲＣパリティビットをともなう前記第１の制御情報に対して、
前記トランスポートブロックのサイズは、前記第１の制御情報に対応する前記トランスポートブロックと同じトランスポートブロックの初期送信のための第２の共用チャネルがランダムアクセスレスポンスグラントによってスケジュールされたかどうかに基づいて、前記第１の識別子によってスクランブルされたＣＲＣパリティビットをともなう前記第１の制御情報に含まれる第１の情報フィールドを用いて与えられる
端末装置。
【請求項２】
前記第１の識別子によってスクランブルされたＣＲＣパリティビットをともなう前記第１の制御情報に対して、
前記第１の共用チャネルに対する変調次数（modulation order）は、前記第２の共用チャネルが前記ランダムアクセスレスポンスグラントによってスケジュールされたかどうかに基づいて、前記第１の識別子によってスクランブルされたＣＲＣパリティビットをともなう前記第１の制御情報に含まれる前記第１の情報フィールドを用いて与えられる
請求項１の端末装置。
【請求項３】
第２の識別子によってスクランブルされたＣＲＣパリティビットをともなう前記第１の制御情報に対して、
前記トランスポートブロックのサイズは、前記第２の共用チャネルが前記ランダムアクセスレスポンスグラントによってスケジュールされたかどうかに関わらず、前記第２の識別子によってスクランブルされたＣＲＣパリティビットをともなう前記第１の制御情報に含まれる前記第１の情報フィールドを用いて与えられる
請求項１の端末装置。
【請求項４】
前記第２の識別子によってスクランブルされたＣＲＣパリティビットをともなう前記第１の制御情報に対して、
前記第１の共用チャネルに対する変調次数（modulation order）は、前記第２の共用チャネルが前記ランダムアクセスレスポンスグラントによってスケジュールされたかどうかに関わらず、前記第２の識別子によってスクランブルされたＣＲＣパリティビットをともなう前記第１の制御情報に含まれる前記第１の情報フィールドを用いて与えられる
請求項３の端末装置。
【請求項５】
前記受信部は、第２の制御情報を含む第３の共用チャネルを受信し、
前記送信部は、前記第２の制御情報に基づいて、トランスポートブロックを第４の共用チャネルで送信し、
前記トランスポートブロックのサイズは、前記制御チャネルに含まれる前記第１の制御情報、および、前記第３の共用チャネルに含まれる前記第２の制御情報の何れによって前記トランスポートブロックの送信がスケジュールされたかに基づいて与えられる
請求項１の端末装置。
【請求項６】
第１の制御情報を含む制御チャネルを送信する送信部と、
前記第１の制御情報を含む前記制御チャネルの送信に基づいて、トランスポートブロックを第１の共用チャネルで受信する受信部と、を備え、
第１の識別子によってスクランブルされたＣＲＣパリティビットをともなう前記第１の制御情報に対して、
前記トランスポートブロックのサイズは、前記第１の制御情報に対応する前記トランスポートブロックと同じトランスポートブロックの初期送信のための第２の共用チャネルがランダムアクセスレスポンスグラントによってスケジュールされたかどうかに基づいて、前記第１の識別子によってスクランブルされたＣＲＣパリティビットをともなう前記第１の制御情報に含まれる第１の情報フィールドを用いて与えられる
基地局装置。
【請求項７】
前記第１の識別子によってスクランブルされたＣＲＣパリティビットをともなう前記第１の制御情報に対して、
前記第１の共用チャネルに対する変調次数（modulation order）は、前記第２の共用チャネルが前記ランダムアクセスレスポンスグラントによってスケジュールされたかどうかに基づいて、前記第１の識別子によってスクランブルされたＣＲＣパリティビットをともなう前記第１の制御情報に含まれる前記第１の情報フィールドを用いて与えられる
請求項６の基地局装置。
【請求項８】
第２の識別子によってスクランブルされたＣＲＣパリティビットをともなう前記第１の制御情報に対して、
前記トランスポートブロックのサイズは、前記第２の共用チャネルが前記ランダムアクセスレスポンスグラントによってスケジュールされたかどうかに関わらず、前記第２の識別子によってスクランブルされたＣＲＣパリティビットをともなう前記第１の制御情報に含まれる前記第１の情報フィールドを用いて与えられる
請求項６の基地局装置。
【請求項９】
前記第２の識別子によってスクランブルされたＣＲＣパリティビットをともなう前記第１の制御情報に対して、
前記第１の共用チャネルに対する変調次数（modulation order）は、前記第２の共用チャネルが前記ランダムアクセスレスポンスグラントによってスケジュールされたかどうかに関わらず、前記第２の識別子によってスクランブルされたＣＲＣパリティビットをともなう前記第１の制御情報に含まれる前記第１の情報フィールドを用いて与えられる
請求項８の基地局装置。
【請求項１０】
前記送信部は、第２の制御情報を含む第３の共用チャネルを送信し、
前記受信部は、前記第２の制御情報に基づいて、トランスポートブロックを第４の共用チャネルで受信し、
前記トランスポートブロックのサイズは、前記制御チャネルに含まれる前記第１の制御情報、および、前記第３の共用チャネルに含まれる前記第２の制御情報の何れによって前記トランスポートブロックの送信がスケジュールされたかに基づいて与えられる
請求項６の基地局装置。
【請求項１１】
端末装置に用いられる通信方法であって、
第１の制御情報を含む制御チャネルを受信し、
前記第１の制御情報を含む前記制御チャネルの検出に基づいて、トランスポートブロックを第１の共用チャネルで送信し、
第１の識別子によってスクランブルされたＣＲＣパリティビットをともなう前記第１の制御情報に対して、
前記トランスポートブロックのサイズは、前記第１の制御情報に対応する前記トランスポートブロックと同じトランスポートブロックの初期送信のための第２の共用チャネルがランダムアクセスレスポンスグラントによってスケジュールされたかどうかに基づいて、前記第１の識別子によってスクランブルされたＣＲＣパリティビットをともなう前記第１の制御情報に含まれる第１の情報フィールドを用いて与えられる
通信方法。
【請求項１２】
基地局装置に用いられる通信方法であって、
第１の制御情報を含む制御チャネルを送信し、
前記第１の制御情報を含む前記制御チャネルの送信に基づいて、トランスポートブロックを第１の共用チャネルで受信し、
第１の識別子によってスクランブルされたＣＲＣパリティビットをともなう前記第１の制御情報に対して、
前記トランスポートブロックのサイズは、前記第１の制御情報に対応する前記トランスポートブロックと同じトランスポートブロックの初期送信のための第２の共用チャネルがランダムアクセスレスポンスグラントによってスケジュールされたかどうかに基づいて、前記第１の識別子によってスクランブルされたＣＲＣパリティビットをともなう前記第１の制御情報に含まれる第１の情報フィールドを用いて与えられる
通信方法。
【請求項１３】
端末装置に実装される集積回路であって、
第１の制御情報を含む制御チャネルを受信する受信回路と、
前記第１の制御情報を含む前記制御チャネルの検出に基づいて、トランスポートブロックを第１の共用チャネルで送信する送信回路と、を備え、
第１の識別子によってスクランブルされたＣＲＣパリティビットをともなう前記第１の制御情報に対して、
前記トランスポートブロックのサイズは、前記第１の制御情報に対応する前記トランスポートブロックと同じトランスポートブロックの初期送信のための第２の共用チャネルがランダムアクセスレスポンスグラントによってスケジュールされたかどうかに基づいて、前記第１の識別子によってスクランブルされたＣＲＣパリティビットをともなう前記第１の制御情報に含まれる第１の情報フィールドを用いて与えられる
集積回路。
【請求項１４】
基地局装置に実装される集積回路であって、
第１の制御情報を含む制御チャネルを送信する送信回路と、
前記第１の制御情報を含む前記制御チャネルの送信に基づいて、トランスポートブロックを第１の共用チャネルで受信する受信回路と、を備え、
第１の識別子によってスクランブルされたＣＲＣパリティビットをともなう前記第１の制御情報に対して、
前記トランスポートブロックのサイズは、前記第１の制御情報に対応する前記トランスポートブロックと同じトランスポートブロックの初期送信のための第２の共用チャネルがランダムアクセスレスポンスグラントによってスケジュールされたかどうかに基づいて、前記第１の識別子によってスクランブルされたＣＲＣパリティビットをともなう前記第１の制御情報に含まれる第１の情報フィールドを用いて与えられる
集積回路。
【発明の詳細な説明】
【技術分野】
【０００１】
本発明は、端末装置、基地局装置、通信方法、および、集積回路に関する。
本願は、２０１５年１０月２９日に、日本に出願された特願２０１５−２１２７００号に基づき優先権を主張し、その内容をここに援用する。
【背景技術】
【０００２】
セルラー移動通信の無線アクセス方式および無線ネットワーク（以下、「Long Term Evolution （LTE）」、または、「Evolved Universal Terrestrial Radio Access : EUTRA」と称する。）が、第三世代パートナーシッププロジェクト（3rd Generation Partnership Project: 3GPP）において検討されている。ＬＴＥでは、基地局装置をｅＮｏｄｅＢ（evolved NodeB）、端末装置をＵＥ（User Equipment）とも称する。ＬＴＥは、基地局装置がカバーするエリアをセル状に複数配置するセルラー通信システムである。単一の基地局装置は複数のセルを管理してもよい。【０００３】
ＬＴＥのＰＤＳＣＨ（Physical Downlink Shared Channel）に対して、ＱＰＳＫ（Quadrature Phase Shift Keying）、１６ＱＡＭ（Quadrature Amplitude Modulation）、６４ＱＡＭ、および、２５６ＱＡＭが使用可能である。ＬＴＥのＰＵＳＣＨ（Physical Uplink Shared Channel）に対して、ＱＰＳＫ、１６ＱＡＭ、６４ＱＡＭが使用可能である。３ＧＰＰにおいて、上りリンクにおけるデータレートを増加するために、ＰＵＳＣＨ（Physical Uplink Shared Channel）に対して２５６ＱＡＭを導入することが検討されている（非特許文献１）。
【先行技術文献】
【非特許文献】
【０００４】
【非特許文献１】"Motivation for Work Item on UL 256QAM for LTE ", RP-151287, Ericsson, 3GPP TSG RAN Meeting #68, Phoenix, USA, 14th - 16th September 2015.
【非特許文献２】"3GPP TS 36.211 V12.7.0 (2015-09)", 25th September, 2015.
【非特許文献３】"3GPP TS 36.212 V12.6.0 (2015-09)", 25th September, 2015.
【非特許文献４】"3GPP TS 36.213 V12.7.0 (2015-03)", 25th September, 2015.
【発明の概要】
【発明が解決しようとする課題】
【０００５】
本発明は上記の点に鑑みてなされたものであり、その目的は、上りリンクチャネルを用いて効率的に基地局装置と通信することができる端末装置、該端末装置と通信する基地局装置、該端末装置に用いられる通信方法、該基地局装置に用いられる通信方法、該端末装置に実装される集積回路、該基地局装置に実装される集積回路を提供することである。
【課題を解決するための手段】
【０００６】
（１）本発明の態様は、以下のような手段を講じた。すなわち、本発明の第１の態様は端末装置であって、第１の制御情報を含む制御チャネルを受信する受信部と、前記第１の制御情報を含む前記制御チャネルの検出に基づいて、トランスポートブロックを第１の共用チャネルで送信する送信部と、を備え、第１の識別子によってスクランブルされたＣＲＣパリティビットをともなう前記第１の制御情報に対して、前記トランスポートブロックのサイズは、前記第１の制御情報に対応する前記トランスポートブロックと同じトランスポートブロックの初期送信のための第２の共用チャネルがランダムアクセスレスポンスグラントによってスケジュールされたかどうかに基づいて、前記第１の識別子によってスクランブルされたＣＲＣパリティビットをともなう前記第１の制御情報に含まれる第１の情報フィールドを用いて与えられる。【０００７】
（２）本発明の第２の態様は基地局装置であって、第１の制御情報を含む制御チャネルを送信する送信部と、前記第１の制御情報を含む前記制御チャネルの送信に基づいて、トランスポートブロックを第１の共用チャネルで受信する受信部と、を備え、第１の識別子によってスクランブルされたＣＲＣパリティビットをともなう前記第１の制御情報に対して、前記トランスポートブロックのサイズは、前記第１の制御情報に対応する前記トランスポートブロックと同じトランスポートブロックの初期送信のための第２の共用チャネルがランダムアクセスレスポンスグラントによってスケジュールされたかどうかに基づいて、前記第１の識別子によってスクランブルされたＣＲＣパリティビットをともなう前記第１の制御情報に含まれる第１の情報フィールドを用いて与えられる。【０００８】
（３）本発明の第３の態様は、端末装置に用いられる通信方法であって、第１の制御情報を含む制御チャネルを受信し、前記第１の制御情報を含む前記制御チャネルの検出に基づいて、トランスポートブロックを第１の共用チャネルで送信し、第１の識別子によってスクランブルされたＣＲＣパリティビットをともなう前記第１の制御情報に対して、前記トランスポートブロックのサイズは、前記第１の制御情報に対応する前記トランスポートブロックと同じトランスポートブロックの初期送信のための第２の共用チャネルがランダムアクセスレスポンスグラントによってスケジュールされたかどうかに基づいて、前記第１の識別子によってスクランブルされたＣＲＣパリティビットをともなう前記第１の制御情報に含まれる第１の情報フィールドを用いて与えられる。【０００９】
（４）本発明の第４の態様は、基地局装置に用いられる通信方法であって、第１の制御情報を含む制御チャネルを送信し、前記第１の制御情報を含む前記制御チャネルの送信に基づいて、トランスポートブロックを第１の共用チャネルで受信し、第１の識別子によってスクランブルされたＣＲＣパリティビットをともなう前記第１の制御情報に対して、前記トランスポートブロックのサイズは、前記第１の制御情報に対応する前記トランスポートブロックと同じトランスポートブロックの初期送信のための第２の共用チャネルがランダムアクセスレスポンスグラントによってスケジュールされたかどうかに基づいて、前記第１の識別子によってスクランブルされたＣＲＣパリティビットをともなう前記第１の制御情報に含まれる第１の情報フィールドを用いて与えられる。【００１０】
（５）本発明の第５の態様は、端末装置に実装される集積回路であって、第１の制御情報を含む制御チャネルを受信する受信回路と、前記第１の制御情報を含む前記制御チャネルの検出に基づいて、トランスポートブロックを第１の共用チャネルで送信する送信回路と、を備え、第１の識別子によってスクランブルされたＣＲＣパリティビットをともなう前記第１の制御情報に対して、前記トランスポートブロックのサイズは、前記第１の制御情報に対応する前記トランスポートブロックと同じトランスポートブロックの初期送信のための第２の共用チャネルがランダムアクセスレスポンスグラントによってスケジュールされたかどうかに基づいて、前記第１の識別子によってスクランブルされたＣＲＣパリティビットをともなう前記第１の制御情報に含まれる第１の情報フィールドを用いて与えられる。【００１１】
（６）本発明の第６の態様は、基地局装置に実装される集積回路であって、第１の制御情報を含む制御チャネルを送信する送信回路と、前記第１の制御情報を含む前記制御チャネルの送信に基づいて、トランスポートブロックを第１の共用チャネルで受信する受信回路と、を備え、第１の識別子によってスクランブルされたＣＲＣパリティビットをともなう前記第１の制御情報に対して、前記トランスポートブロックのサイズは、前記第１の制御情報に対応する前記トランスポートブロックと同じトランスポートブロックの初期送信のための第２の共用チャネルがランダムアクセスレスポンスグラントによってスケジュールされたかどうかに基づいて、前記第１の識別子によってスクランブルされたＣＲＣパリティビットをともなう前記第１の制御情報に含まれる第１の情報フィールドを用いて与えられる。
【発明の効果】
【００１２】
この発明によれば、端末装置および基地局装置は互いに、上りリンクチャネルを用いて効率的に通信することができる。
【図面の簡単な説明】
【００１３】
【図１】本実施形態の無線通信システムの概念図である。
【図２】本実施形態の無線フレームの概略構成を示す図である。
【図３】本実施形態の上りリンクスロットの概略構成を示す図である。
【図４】本実施形態の１６ＱＡＭシンボルの配置（constellation）の一例を示す図である。
【図５】本実施形態の上りリンクグラントに含まれる情報の一例を示す図である。
【図６】本実施形態におけるＰＵＳＣＨに対するスケジューリング情報の取得方法の一例を示す図である。
【図７】本実施形態のＭＣＳインデックス（ＩＭＣＳ）、（Ｑ’ｍ）、トランスポートブロックサイズインデックス（ＩＴＢＳ）、および、冗長バージョン（ｒｖｉｄｘ）の対応表を示す図である。
【図８】本実施形態のＭＣＳインデックス（ＩＭＣＳ）、（Ｑ’ｍ）、トランスポートブロックサイズインデックス（ＩＴＢＳ）、および、冗長バージョン（ｒｖｉｄｘ）の対応表を示す図である。
【図９】本実施形態の割り当てられた物理リソースブロックの総数（ＮＰＲＢ）、トランスポートブロックサイズインデックス（ＩＴＢＳ）、および、トランスポートブロックサイズの対応を示す図である。
【図１０】本実施形態における０から２８のＭＣＳインデックス（ＩＭＣＳ）に対してＰＵＳＣＨにおけるトランスポートブロックに対するトランスポートブロックサイズインデックス（ＩＴＢＳ）を決定するための疑似コード（１０００）を示す図である。
【図１１】本実施形態における２９から３１のＭＣＳインデックス（ＩＭＣＳ）に対するＰＵＳＣＨにおけるトランスポートブロックに対するトランスポートブロックサイズ（ＩＴＢＳ）を決定するための疑似コード（１１００）を示す図である。
【図１２】本実施形態における０から２８のＭＣＳインデックス（ＩＭＣＳ）に対してＰＵＳＣＨのための変調次数（Ｑｍ）を決定するための疑似コード（１２００）を示す図である。
【図１３】本実施形態における２９から３１のＭＣＳインデックス（ＩＭＣＳ）に対するＰＵＳＣＨのための変調次数（Ｑｍ）を決定するための疑似コード（１３００）を示す図である。
【図１４】本実施形態におけるＰＵＳＣＨのための冗長バージョーン（ｒｖｉｄｘ）を決定するための疑似コード（１４００）を示す図である。
【図１５】本実施形態の端末装置１の構成を示す概略ブロック図である。
【図１６】本実施形態の基地局装置３の構成を示す概略ブロック図である。
【発明を実施するための形態】
【００１４】
以下、本発明の実施形態について説明する。
【００１５】
図１は、本実施形態の無線通信システムの概念図である。図１において、無線通信システムは、端末装置１Ａ〜１Ｃ、および基地局装置３を具備する。以下、端末装置１Ａ〜１Ｃを端末装置１という。
【００１６】
以下、キャリアアグリゲーションについて説明する。
【００１７】
本実施形態では、端末装置１は、複数のサービングセルが設定される。端末装置１が複数のサービングセルを介して通信する技術をセルアグリゲーション、またはキャリアアグリゲーションと称する。端末装置１に対して設定される複数のサービングセルのそれぞれにおいて、本発明が適用されてもよい。また、設定された複数のサービングセルの一部において、本発明が適用されてもよい。また、設定された複数のサービングセルのグループのそれぞれにおいて、本発明が適用されてもよい。また、設定された複数のサービングセルのグループの一部において、本発明が適用されてもよい。キャリアアグリゲーションにおいて、設定された複数のサービングセルを集約されたサービングセルとも称する。
【００１８】
本実施形態の無線通信システムは、ＴＤＤ（Time Division Duplex）および／またはＦＤＤ（Frequency Division Duplex）が適用される。セルアグリゲーションの場合には、複数のサービングセルの全てに対してＴＤＤが適用されてもよい。また、セルアグリゲーションの場合には、ＴＤＤが適用されるサービングセルとＦＤＤが適用されるサービングセルが集約されてもよい。本実施形態において、ＴＤＤが適用されるサービングセルをＴＤＤサービングセルとも称する。
【００１９】
設定された複数のサービングセルは、１つのプライマリーセルと１つまたは複数のセカンダリーセルとを含む。プライマリーセルは、初期コネクション確立（initial connection establishment）プロシージャが行なわれたサービングセル、コネクション再確立（connection re-establishment）プロシージャを開始したサービングセル、または、ハンドオーバプロシージャにおいてプライマリーセルと指示されたセルである。ＲＲＣ（Radio Resource Control）コネクションが確立された時点、または、後に、セカンダリーセルが設定されてもよい。
【００２０】
下りリンクにおいて、サービングセルに対応するキャリアを下りリンクコンポーネントキャリアと称する。上りリンクにおいて、サービングセルに対応するキャリアを上りリンクコンポーネントキャリアと称する。下りリンクコンポーネントキャリア、および、上りリンクコンポーネントキャリアを総称して、コンポーネントキャリアと称する。
【００２１】
端末装置１は、集約される複数のサービングセル（コンポーネントキャリア）において、複数の物理チャネル／複数の物理シグナルの同時送信を行うことができる。端末装置１は、集約される複数のサービングセル（コンポーネントキャリア）において、複数の物理チャネル／複数の物理シグナルの同時受信を行うことができる。
【００２２】
図２は、本実施形態の無線フレームの概略構成を示す図である。図２において、横軸は時間軸である。
【００２３】
時間領域における種々のフィールドのサイズは、時間ユニットTs=1/(15000・2048)秒の数によって表現される。無線フレームの長さは、Tf=307200・Ts=10msである。それぞれの無線フレームは、時間領域において連続する１０のサブフレームを含む。それぞれのサブフレームの長さは、Tsubframe=30720・Ts=1msである。それぞれのサブフレームｉは、時間領域において連続する２つのスロットを含む。該時間領域において連続する２つのスロットは、無線フレーム内のスロット番号nsが２ｉのスロット、および、無線フレーム内のスロット番号nsが２ｉ＋１のスロットである。それぞれのスロットの長さは、Tslot=153600・ns=0.5msである。それぞれの無線フレームは、時間領域において連続する１０のサブフレームを含む。それぞれの無線フレームは、時間領域において連続する２０のスロット（ns=0,1,…,19）を含む。
【００２４】
以下、本実施形態のスロットの構成について説明する。図３は、本実施形態の上りリンクスロットの概略構成を示す図である。図３において、１つのセルにおける上りリンクスロットの構成を示す。図３において、横軸は時間軸であり、縦軸は周波数軸である。図３において、ｌはＳＣ−ＦＤＭＡ（Single Carrier-Frequency Division Multiple Access）シンボル番号／インデックスであり、ｋはサブキャリア番号／インデックスである。
【００２５】
スロットのそれぞれにおいて送信される物理シグナルまたは物理チャネルは、リソースグリッドによって表現される。上りリンクにおいて、リソースグリッドは複数のサブキャリアと複数のＳＣ−ＦＤＭＡシンボルによって定義される。リソースグリッド内のエレメントのそれぞれをリソースエレメントと称する。リソースエレメントは、サブキャリア番号／インデックスｋ、および、ＳＣ−ＦＤＭＡシンボル番号／インデックスｌによって表される。
【００２６】
リソースグリッドは、アンテナポート毎に定義される。本実施形態では、１つのアンテナポートに対する説明を行う。複数のアンテナポートのそれぞれに対して、本実施形態が適用されてもよい。
【００２７】
上りリンクスロットは、時間領域において、複数のＳＣ−ＦＤＭＡシンボルｌ（l=0,1,…,NULsymb）を含む。NULsymbは、１つの上りリンクスロットに含まれるＳＣ−ＦＤＭＡシンボルの数を示す。ノーマルＣＰ（normal Cyclic Prefix）に対して、NULsymbは７である。拡張ＣＰ（extended Cyclic Prefix）に対して、NULsymbは６である。
【００２８】
上りリンクスロットは、周波数領域において、複数のサブキャリアｋ（k=0,1,…,NULRB ×NRBsc)を含む。NULRBは、NRBscの倍数によって表現される、サービングセルに対する上りリンク帯域幅設定である。NRBscは、サブキャリアの数によって表現される、周波数領域における（物理）リソースブロックサイズである。本実施形態において、サブキャリア間隔Δfは１５ｋＨｚであり、NRBscは１２サブキャリアである。すなわち、本実施形態においてNRBscは、１８０ｋＨｚである。
【００２９】
リソースブロックは、物理チャネルのリソースエレメントへのマッピングを表すために用いられる。リソースブロックは、仮想リソースブロックと物理リソースブロックが定義される。物理チャネルは、まず仮想リソースブロックにマップされる。その後、仮想リソースブロックは、物理リソースブロックにマップされる。１つの物理リソースブロックは、時間領域においてNULsymbの連続するＳＣ−ＦＤＭＡシンボルと周波数領域においてNRBscの連続するサブキャリアとから定義される。ゆえに、１つの物理リソースブロックは（NULsymb×NRBsc）のリソースエレメントから構成される。１つの物理リソースブロックは、時間領域において１つのスロットに対応する。物理リソースブロックは周波数領域において、周波数の低いほうから順に番号（0,1,…, NULRB -1）が付けられる。
【００３０】
本実施形態における下りリンクのスロットは、複数のＯＦＤＭシンボルを含む。本実施形態における下りリンクのスロットの構成は、リソースグリッドが複数のサブキャリアと複数のＯＦＤＭシンボルによって定義される点を除いて同じであるため、下りリンクのスロットの構成の説明は省略する。
【００３１】
本実施形態の物理チャネルおよび物理シグナルについて説明する。
【００３２】
図１において、端末装置１から基地局装置３への上りリンクの無線通信では、以下の上りリンク物理チャネルが用いられる。上りリンク物理チャネルは、上位層から出力された情報を送信するために、物理層によって使用される。
・ＰＵＣＣＨ（Physical Uplink Control Channel）
・ＰＵＳＣＨ（Physical Uplink Shared Channel）
・ＰＲＡＣＨ（Physical Random Access Channel）
【００３３】
ＰＵＣＣＨは、上りリンク制御情報（Uplink Control Information: UCI）を送信するために用いられる。上りリンク制御情報は、下りリンクのチャネル状態情報（Channel State Information: CSI）、初期送信のためのＰＵＳＣＨ（Uplink-Shared Channel: UL-SCH）リソースを要求するために用いられるスケジューリングリクエスト（Scheduling Request: SR）、下りリンクデータ（Transport block, Medium Access Control Protocol Data Unit: MAC PDU, Downlink-Shared Channel: DL-SCH, Physical Downlink Shared Channel: PDSCH）に対するＨＡＲＱ−ＡＣＫ（Hybrid Automatic Repeat request ACKnowledgement）を含む。ＨＡＲＱ−ＡＣＫは、ＡＣＫ（acknowledgement）またはＮＡＣＫ（negative-acknowledgement）を示す。
【００３４】
ＰＵＳＣＨは、上りリンクデータ（Uplink-Shared Channel: UL-SCH）を送信するために用いられる。ＰＵＳＣＨは、ランダムアクセスメッセージ３を送信するために用いられる。また、ＰＵＳＣＨは、ランダムアクセスメッセージ３を含まない上りリンクデータと共にＨＡＲＱ−ＡＣＫおよび／またはチャネル状態情報を送信するために用いられてもよい。また、ＰＵＳＣＨはチャネル状態情報のみ、または、ＨＡＲＱ−ＡＣＫおよびチャネル状態情報のみを送信するために用いられてもよい。
【００３５】
ＰＵＳＣＨに対して、ＱＰＳＫ（Quadrature Phase Shift Keying）、１６ＱＡＭ（Quadrature Amplitude Modulation）、６４ＱＡＭ、および、２５６ＱＡＭのうちの何れかが適用される。ＱＰＳＫは、搬送波の位相を変更・調整することによってデータを伝達する変調方式である。ＱＡＭは、同相（in-phase）搬送波および直角位相（quadrature）搬送波の振幅及び位相を変更・調整することによってデータを伝達する変調方式である。
【００３６】
ＱＰＳＫの変調次数（modulation order）は２である。１６ＱＡＭの変調次数は４である。６４ＱＡＭの変調次数は６である。２５６ＱＡＭの変調次数は８である。変調次数は、１つの変調シンボルによって伝送されるビットの数である。図４は、本実施形態の１６ＱＡＭシンボルの配置（constellation）の一例を示す図である。図４において、符号４００が付された丸は、値が‘０００１’の４ビットに対応する信号点である。
【００３７】
本実施形態において、変調次数が２のシンボルはＱＰＳＫシンボルを意味し、変調次数が４のシンボルは１６ＱＡＭを意味し、変調次数６のシンボルは６４ＱＡＭシンボルを意味し、変調次数が８のシンボルは２５６ＱＡＭシンボルを意味する。
【００３８】
すなわち、ＰＵＳＣＨに対する変調次数が２の場合には該ＰＵＳＣＨに対してＱＰＳＫが適用され、ＰＵＳＣＨに対する変調次数が４の場合には該ＰＵＳＣＨに対して１６ＱＡＭが適用され、ＰＵＳＣＨに対する変調次数が６の場合には該ＰＵＳＣＨに対して６４ＱＡＭが適用され、且つ、ＰＵＳＣＨに対する変調次数が８の場合には該ＰＵＳＣＨに対して２５６ＱＡＭが適用される。
【００３９】
ＰＲＡＣＨは、ランダムアクセスプリアンブル（ランダムアクセスメッセージ１）を送信するために用いられる。ＰＲＡＣＨは、初期コネクション確立（initial connection establishment）プロシージャ、ハンドオーバプロシージャ、コネクション再確立（connection re-establishment）プロシージャ、上りリンク送信に対する同期（タイミング調整）、およびＰＵＳＣＨ（ＵＬ−ＳＣＨ）リソースの要求を示すために用いられる。
【００４０】
図１において、上りリンクの無線通信では、以下の上りリンク物理シグナルが用いられる。上りリンク物理シグナルは、上位層から出力された情報を送信するために使用されないが、物理層によって使用される。
・上りリンク参照信号（Uplink Reference Signal: UL RS）
【００４１】
本実施形態において、以下の２つのタイプの上りリンク参照信号が用いられる。
・ＤＭＲＳ（Demodulation Reference Signal）
・ＳＲＳ（Sounding Reference Signal）
【００４２】
ＤＭＲＳは、ＰＵＳＣＨまたはＰＵＣＣＨの送信に関連する。ＤＭＲＳは、ＰＵＳＣＨまたはＰＵＣＣＨと時間多重される。基地局装置３は、ＰＵＳＣＨまたはＰＵＣＣＨの伝搬路補正を行なうためにＤＭＲＳを使用する。以下、ＰＵＳＣＨとＤＭＲＳを共に送信することを、単にＰＵＳＣＨを送信すると称する。以下、ＰＵＣＣＨとＤＭＲＳを共に送信することを、単にＰＵＣＣＨを送信すると称する。
【００４３】
ＳＲＳは、ＰＵＳＣＨまたはＰＵＣＣＨの送信に関連しない。基地局装置３は、チャネル状態の測定のためにＳＲＳを用いてもよい。ＳＲＳは、上りリンクサブフレームにおける最後のＳＣ−ＦＤＭＡシンボル、または、ＵｐＰＴＳにおけるＳＣ−ＦＤＭＡシンボルにおいて送信される。
【００４４】
図１において、基地局装置３から端末装置１への下りリンクの無線通信では、以下の下りリンク物理チャネルが用いられる。下りリンク物理チャネルは、上位層から出力された情報を送信するために、物理層によって使用される。
・ＰＢＣＨ（Physical Broadcast Channel）
・ＰＣＦＩＣＨ（Physical Control Format Indicator Channel）
・ＰＨＩＣＨ（Physical Hybrid automatic repeat request Indicator Channel）
・ＰＤＣＣＨ（Physical Downlink Control Channel）
・ＥＰＤＣＣＨ（Enhanced Physical Downlink Control Channel）
・ＰＤＳＣＨ（Physical Downlink Shared Channel）
・ＰＭＣＨ（Physical Multicast Channel）
【００４５】
ＰＢＣＨは、端末装置１で共通に用いられるマスターインフォメーションブロック（Master Information Block: MIB, Broadcast Channel: BCH）を報知するために用いられる。
【００４６】
ＰＣＦＩＣＨは、ＰＤＣＣＨの送信に用いられる領域（ＯＦＤＭシンボル）を指示する情報を送信するために用いられる。
【００４７】
ＰＨＩＣＨは、基地局装置３が受信した上りリンクデータ（Uplink Shared Channel: UL-SCH）に対するＡＣＫ（ACKnowledgement）またはＮＡＣＫ（Negative ACKnowledgement）を示すＨＡＲＱインディケータ（ＨＡＲＱフィードバック、応答情報）を送信するために用いられる。
【００４８】
ＰＤＣＣＨおよびＥＰＤＣＣＨは、下りリンク制御情報（Downlink Control Information: DCI）を送信するために用いられる。下りリンク制御情報を、ＤＣＩフォーマットとも称する。下りリンク制御情報は、下りリンクグラント（downlink grant）および上りリンクグラント（uplink grant）を含む。下りリンクグラントは、下りリンクアサインメント（downlink assignment）または下りリンク割り当て（downlink allocation）とも称する。
【００４９】
１つの下りリンクグラントは、１つのサービングセル内の１つのＰＤＳＣＨのスケジューリングに用いられる。下りリンクグラントは、該下りリンクグラントが送信されたサブフレームと同じサブフレーム内のＰＤＳＣＨのスケジューリングに用いられる。
【００５０】
１つの上りリンクグラントは、１つのサービングセル内の１つのＰＵＳＣＨのスケジューリングに用いられる。上りリンクグラントは、該上りリンクグラントが送信されたサブフレームより４つ以上後のサブフレーム内のＰＵＳＣＨのスケジューリングに用いられる。
【００５１】
ＰＤＣＣＨで送信される上りリンクグラントはＤＣＩフォーマット０を含む。ＤＣＩフォーマット０に対応するＰＵＳＣＨの送信方式は、シングルアンテナポートである。端末装置１は、ＤＣＩフォーマット０に対応するＰＵＳＣＨ送信のためにシングルアンテナポート送信方式を用いる。シングルアンテナポート送信方式が適用されるＰＵＳＣＨは、１つのコードワード（１つのトランスポートブロック）の伝送に用いられる。
【００５２】
ＰＤＣＣＨで送信される上りリンクグラントは、ＤＣＩフォーマット４を含む。ＤＣＩフォーマット４に対応するＰＵＳＣＨの送信方式は、閉ループ空間多重である。端末装置１は、ＤＣＩフォーマット４に対応するＰＵＳＣＨ送信のために閉ループ空間多重送信方式を用いる。閉ループ空間多重送信方式が適用されるＰＵＳＣＨは、２つまでのコードワード（２つまでのトランスポートブロック）の伝送に用いられる。
【００５３】
下りリンクグラント、または、上りリンクグラントに付加されるＣＲＣパリティビットは、Ｃ−ＲＮＴＩ（Cell-Radio Network Temporary Identifier）、Ｔｅｍｐｏｒａｒｙ  Ｃ−ＲＮＴＩ、ＳＰＳ（Semi Persistent Scheduling）Ｃ−ＲＮＴＩCell-Radio Network Temporary Identifier）によってスクランブルされる。Ｃ−ＲＮＴＩおよびＳＰＳ  Ｃ−ＲＮＴＩは、セル内において端末装置を識別するための識別子である。Ｔｅｍｐｏｒａｒｙ  Ｃ−ＲＮＴＩは、コンテンションベースランダムアクセス手順の間に用いられる。
【００５４】
Ｃ−ＲＮＴＩは、１つのサブフレームにおけるＰＤＳＣＨまたはＰＵＳＣＨを制御するために用いられる。ＳＰＳ  Ｃ−ＲＮＴＩは、ＰＤＳＣＨまたはＰＵＳＣＨのリソースを周期的に割り当てるために用いられる。Ｔｅｍｐｏｒａｒｙ  Ｃ−ＲＮＴＩは、ランダムアクセスメッセージ３の再送信、および、ランダムアクセスメッセージ４の送信をスケジュールするために用いられる。
【００５５】
ＰＤＳＣＨは、下りリンクデータ（Downlink Shared Channel: DL-SCH）を送信するために用いられる。ＰＤＳＣＨは、ランダムアクセスメッセージ２（ランダムアクセスレスポンス）を送信するために用いられる。
【００５６】
ランダムアクセスレスポンスは、ランダムアクセスレスポンスグラントを含む。ランダムアクセスレスポンスグラントは、ＰＤＳＣＨで送信される上りリンクグラントである。端末装置１は、ランダムアクセスレスポンスグラントに対応するＰＵＳＣＨ送信、および、同じトランスポートブロックに対する該ＰＵＳＣＨ再送信のためにシングルアンテナポート送信方式を用いる。
【００５７】
ＰＭＣＨは、マルチキャストデータ（Multicast Channel: MCH）を送信するために用いられる。
【００５８】
図１において、下りリンクの無線通信では、以下の下りリンク物理シグナルが用いられる。下りリンク物理シグナルは、上位層から出力された情報を送信するために使用されないが、物理層によって使用される。
・同期信号（Synchronization signal: SS）
・下りリンク参照信号（Downlink Reference Signal: DL RS）
【００５９】
同期信号は、端末装置１が下りリンクの周波数領域および時間領域の同期をとるために用いられる。
【００６０】
下りリンク参照信号は、端末装置１が下りリンク物理チャネルの伝搬路補正を行なうために用いられる。下りリンク参照信号は、端末装置１が下りリンクのチャネル状態情報を算出するために用いられる。
【００６１】
本実施形態において、以下の７つのタイプの下りリンク参照信号が用いられる。
・ＣＲＳ（Cell-specific Reference Signal）
・ＰＤＳＣＨに関連するＵＲＳ（UE-specific Reference Signal）
・ＥＰＤＣＣＨに関連するＤＭＲＳ（Demodulation Reference Signal）
・ＮＺＰ  ＣＳＩ−ＲＳ（Non-Zero Power Chanel State Information - Reference Signal）
・ＺＰ  ＣＳＩ−ＲＳ（Zero Power Chanel State Information - Reference Signal）
・ＭＢＳＦＮ  ＲＳ（Multimedia Broadcast and Multicast Service over Single Frequency Network Reference signal）
・ＰＲＳ（Positioning Reference Signal）
【００６２】
下りリンク物理チャネルおよび下りリンク物理シグナルを総称して、下りリンク信号と称する。上りリンク物理チャネルおよび上りリンク物理シグナルを総称して、上りリンク信号と称する。下りリンク物理チャネルおよび上りリンク物理チャネルを総称して、物理チャネルと称する。下りリンク物理シグナルおよび上りリンク物理シグナルを総称して、物理シグナルと称する。
【００６３】
ＢＣＨ、ＭＣＨ、ＵＬ−ＳＣＨおよびＤＬ−ＳＣＨは、トランスポートチャネルである。媒体アクセス制御（Medium Access Control: MAC）層で用いられるチャネルをトランスポートチャネルと称する。ＭＡＣ層で用いられるトランスポートチャネルの単位を、トランスポートブロック（transport block: TB）またはＭＡＣ  ＰＤＵ（Protocol Data Unit）とも称する。ＭＡＣ層においてトランスポートブロック毎にＨＡＲＱ（Hybrid Automatic Repeat reQuest）の制御が行なわれる。トランスポートブロックは、ＭＡＣ層が物理層に渡す（deliver）データの単位である。物理層において、トランスポートブロックはコードワードにマップされ、コードワード毎に符号化処理が行なわれる。
【００６４】
基地局装置３と端末装置１は、上位層（higher layer）において信号をやり取り（送受信）する。例えば、基地局装置３と端末装置１は、無線リソース制御（RRC: Radio Resource Control）層において、ＲＲＣシグナリング（RRC message: Radio Resource Control message、RRC information: Radio Resource Control informationとも称される）を送受信してもよい。また、基地局装置３と端末装置１は、媒体アクセス制御（MAC: Medium Access Control）層において、ＭＡＣ  ＣＥ（Control Element）を送受信してもよい。ここで、ＲＲＣシグナリング、および／または、ＭＡＣ  ＣＥを、上位層の信号（higher layer signaling）とも称する。
【００６５】
ＰＵＳＣＨおよびＰＤＳＣＨは、ＲＲＣシグナリング、および、ＭＡＣ  ＣＥを送信するために用いられる。ここで、基地局装置３からＰＤＳＣＨで送信されるＲＲＣシグナリングは、セル内における複数の端末装置１に対して共通のシグナリングであってもよい。基地局装置３からＰＤＳＣＨで送信されるＲＲＣシグナリングは、ある端末装置１に対して専用のシグナリング（dedicated signalingまたはUE specific signalingとも称する）であってもよい。セルスペシフィックパラメータは、セル内における複数の端末装置１に対して共通のシグナリング、または、ある端末装置１に対して専用のシグナリングを用いて送信されてもよい。ＵＥスペシフィックパラメータは、ある端末装置１に対して専用のシグナリングを用いて送信されてもよい。
【００６６】
端末装置１は、ＨＡＲＱプロセス毎に、Ｃ−ＲＮＴＩによってスクランブルされたＣＲＣパリティビットをともなうＤＣＩフォーマット０およびＣ−ＲＮＴＩによってスクランブルされたＣＲＣパリティビットをともなうＤＣＩフォーマット４に含まれるＮＤＩ（new data indicator）に基づいてＰＵＳＣＨの初期送信または再送信を行う。端末装置１は、ＮＤＩがトグルされていることに基づいて、ＰＵＳＣＨ（トランスポートブロック）の初期送信を行う。端末装置１は、ＮＤＩがトグルされていないことに基づいて、ＰＵＳＣＨ（トランスポートブロック）の再送信を行う。
【００６７】
端末装置１は、ＨＡＲＱプロセス毎に、受信したＮＤＩの値をストアする。ＮＤＩがトグルされていることは、ストアされているＮＤＩの値と受信したＮＤＩの値が異なることを意味する。ＮＤＩがトグルされていないことは、ストアされているＮＤＩの値と受信したＮＤＩの値が同じことを意味する。
【００６８】
ランダムアクセスレスポンスグラントには、ＮＤＩは含まれない。端末装置１は、ランダムアクセスレスポンスグラントを受信した場合、ＮＤＩがトグルされているとみなす。すなわち、端末装置１は、ランダムアクセスレスポンスグラントを受信したことに基づいて、ＰＵＳＣＨ（トランスポートブロック）の初期送信を行う。
【００６９】
端末装置１は、Ｔｅｍｐｏｒａｙｒ  Ｃ−ＲＮＴＩによってスクランブルされたＣＲＣパリティビットをともなうＤＣＩフォーマット０を受信した場合、ＮＤＩがトグルされていないとみなす。すなわち、端末装置１は、Ｔｅｍｐｏｒａｙｒ  Ｃ−ＲＮＴＩによってスクランブルされたＣＲＣパリティビットをともなうＤＣＩフォーマット０を受信したことに基づいて、ＰＵＳＣＨ（トランスポートブロック、ランダムアクセスメッセージ３）の再送信を行う。
【００７０】
本実施形態において、プライマリーセルおよびセカンダリーセルにおいてランダムアクセス手順が実行されてもよい。プライマリーセルおよびセカンダリーセルにおいてＰＲＡＣＨが送信されてもよい。端末装置１は、プライマリーセルにおけるランダムアクセス手順に関する情報（ＲＲＣメッセージ）を、基地局装置３から受信する。プライマリーセルにおけるランダムアクセス手順に関する情報は、プライマリーセルにおけるＰＲＡＣＨリソースのセットを示す情報を含んでもよい。
【００７１】
セカンダリーセルにおいてＰＲＡＣＨが送信されてもよい。端末装置１は、セカンダリーセルにおけるランダムアクセス手順に関する情報（ＲＲＣメッセージ）を、基地局装置３から受信する。セカンダリーセルにおけるランダムアクセス手順に関する情報は、セカンダリーセルにおけるＰＲＡＣＨリソースのセットを示す情報を含んでもよい。
【００７２】
ランダムアクセス手順は、コンテンションベースランダムアクセス手順、および、非コンテンションベースランダムアクセス手順を含む。プライマリーセルにおいて、コンテンションベースランダムアクセス手順、および、非コンテンションベースランダムアクセス手順がサポートされる。セカンダリーセルにおいて、非コンテンションベースランダムアクセス手順がサポートされる。セカンダリーセルにおいて、非コンテンションベースランダムアクセス手順がサポートされない。
【００７３】
非コンテンションベースランダムアクセス手順のためのランダムアクセスレスポンスに対応するＰＵＳＣＨで送信されたトランスポートブロック（ランダムアクセスメッセージ３）の再送信は、Ｔｅｍｐｏｒａｒｙ  Ｃ−ＲＮＴＩによってスクランブルされたＣＲＣパリティビットをともなうＤＣＩフォーマット０によって制御される。
【００７４】
コンテンションベースランダムアクセス手順のためのランダムアクセスレスポンスに対応するＰＵＳＣＨで送信されたトランスポートブロックの再送信は、Ｃ−ＲＮＴＩによってスクランブルされたＣＲＣパリティビットをともなうＤＣＩフォーマット０によって制御される。
【００７５】
すなわち、Ｃ−ＲＮＴＩによってスクランブルされたＣＲＣパリティビットをともなうＤＣＩフォーマット０に対応するＰＵＳＣＨ送信は、非コンテンションベースランダムアクセス手順における、ランダムアクセスレスポンスグラントに対応するＰＵＳＣＨ送信、および、同じトランスポートの再送信ではない。
【００７６】
すなわち、Ｔｅｍｐｏｒａｒｙ  Ｃ−ＲＮＴＩによってスクランブルされたＣＲＣパリティビットをともなうＤＣＩフォーマット０に対応するＰＵＳＣＨ送信は、非コンテンションベースランダムアクセス手順における、ランダムアクセスレスポンスグラントに対応するＰＵＳＣＨで送信されたトランスポートブロックと同じトランスポートの再送信である。
【００７７】
図５は、本実施形態の上りリンクグラントに含まれる情報の一例を示す図である。ＤＣＩフォーマット０（５００）は、（ａ）‘Resource block assignment and hopping resource allocation’ field、（ｂ）‘Modulation and coding scheme and redundancy version’ field、および、（ｃ）‘New data indicator’ fieldを、少なくとも含む。
【００７８】
ＤＣＩフォーマット４（５０２）は、（ｄ）‘Resource block assignment’ field、（ｅ）トランスポートブロック１に対する‘Modulation and coding scheme and redundancy version’ field、（ｆ）トランスポートブロック１に対する‘New data indicator’ field、（ｇ）トランスポートブロック２に対する‘Modulation and coding scheme and redundancy version’ field、および、（ｈ）トランスポートブロック２に対する‘New data indicator’ fieldを、少なくとも含む。
【００７９】
ランダムアクセスレスポンスグラント（５０４）は、（ｉ）‘Fixed size resource block assignment ’ field、および、（ｊ）‘Truncated modulation and coding scheme’ fieldを、少なくとも含む。
【００８０】
図６は、本実施形態におけるＰＵＳＣＨに対するスケジューリング情報の取得方法の一例を示す図である。ここで、スケジューリング情報は、割り当てられた物理リソースブロックの総数（ＮＰＲＢ）、変調次数（Ｑｍ）、冗長バージョン（ｒｖｉｄｘ）、トランスポートブロックサイズを含む。冗長バージョン（ｒｖｉｄｘ）は、ＰＵＳＣＨで送信されるトランスポートブロックの符号化（レートマッチング）のために用いられる。トランスポートブロックサイズは、トランスポートブロックのビット数である。
【００８１】
端末装置１は、図６の処理を、サービングセル毎およびＰＵＳＣＨ毎に行う。
【００８２】
（６００）端末装置１は、（ｂ）‘Modulation and coding scheme and redundancy version’ field、（ｅ）トランスポートブロック１に対する‘Modulation and coding scheme and redundancy version’ field、（ｇ）トランスポートブロック２に対する‘Modulation and coding scheme and redundancy version’ field、または、（ｊ）‘Truncated modulation and coding scheme’ fieldに基づいて、ＰＵＳＣＨのためのＭＣＳインデックス（ＩＭＣＳ）を決定する。
【００８３】
（６０２）端末装置１は、（ａ）‘Resource block assignment and hopping resource allocation’ field、（ｄ）‘Resource block assignment’ field、または、（ｉ）‘Fixed size resource block assignment ’ fieldに基づいて、ＰＵＳＣＨに対して割り当てられた物理リソースブロックの総数（ＮＰＲＢ）を計算する。
【００８４】
（６０４）端末装置１は、６００において決定されたＰＵＳＣＨのためのＭＣＳインデックス（ＩＭＣＳ）を参照することによって、ＰＵＳＣＨのための変調次数（Ｑｍ）、ＰＵＳＣＨのためのトランスポーブロックサイズインデックス（ＩＴＢＳ）、および、ＰＵＳＣＨのための冗長バージョン（ｒｖｉｄｘ）を決定する。
【００８５】
（６０６）端末装置１は、６０２において計算されたＰＵＳＣＨに対して割り当てられた物理リソースブロックの総数（ＮＰＲＢ）、および、６０４において決定されたＰＵＳＣＨのためのＭＣＳインデックス（ＩＭＣＳ）を参照することによって、ＰＵＳＣＨのためのトランスポートブロックサイズ（ＴＢＳ）を決定する。
【００８６】
図７および図８は、本実施形態のＭＣＳインデックス（ＩＭＣＳ）、（Ｑ’ｍ）、トランスポートブロックサイズインデックス（ＩＴＢＳ）、および、冗長バージョン（ｒｖｉｄｘ）の対応表を示す図である。端末装置１および基地局装置３が、状況に応じて、図７によって示される対応表および図８によって示される対応表の何れか一方を用いる。ここで、Ｑ’ｍは変調次数（Ｑｍ）を決定するために用いられる。
【００８７】
図７の対応表におけるＭＣＳインデックス（ＩＭＣＳ）と冗長バージョーン（ｒｖｉｄｘ）の対応は、図８の対応表におけるＭＣＳインデックス（ＩＭＣＳ）と冗長バージョーン（ｒｖｉｄｘ）の対応と同じである。
【００８８】
図７において、ＭＣＳインデックス（ＩＭＣＳ）の値が０である場合、（Ｑ’ｍ）は８であり、トランスポートブロックサイズインデックス（ＩＴＢＳ）は３３であり、冗長バージョン（ｒｖｉｄｘ）は０である。図７および図８において、ＭＣＳインデックス（ＩＭＣＳ）の値が２９、３０、および、３１である場合、（Ｑ’ｍ）、および、トランスポートブロックサイズインデックス（ＩＴＢＳ）はリザーブされる。ＭＣＳインデックス（ＩＭＣＳ）の２９、３０、および、３１は、ＰＵＳＣＨの再送信のために用いられる。
【００８９】
端末装置１は、以下の条件の一部、または、全部に基づいて、図７の対応表および図８の対応表の何れか一方を用いる。
・条件（１）：上位層パラメータenable256QAMがサービングセルに対して設定されているかどうか
・条件（２）：上位層パラメータenable64QAMがサービングセルに対して設定されているかどうか
・条件（３）：同じトランスポートブロックのスケジューリングのために用いられる最近の上りリンクグラント（most recent uplink grant）のタイプ（ＤＣＩフォーマット０、ＤＣＩフォーマット４、ランダムアクセスレスポンスグラントなど）
・条件（４）：同じトランスポートブロックのスケジューリングのために用いられる最近の上りリンクグラント（most recent uplink grant）のために用いられるＲＮＴＩのタイプ（Ｃ−ＲＮＴＩ、Ｔｅｍｐｏｒａｒｙ  Ｃ−ＲＮＴＩなど）
・条件（５）：同じトランスポートブロックのためのＰＵＳＣＨ初期送信がランダムアクセスレスポンスグラントによってスケジュールされたかどうか
【００９０】
ここで、基地局装置３は、サービングセルに対する上位層パラメータenable256QAMを含むＲＲＣメッセージを端末装置１に送信してもよい。端末装置１は、該ＲＲＣメッセージに基づいて、サービングセルに対する上位層パラメータenable256QAMを設定してもよい。上位層パラメータenable256QAMは、ＰＵＳＣＨに対する２５６ＱＡＭが有効であることを示す。
【００９１】
ここで、基地局装置３は、サービングセルに対する上位層パラメータenable64QAMを含むＲＲＣメッセージを端末装置１に送信してもよい。端末装置１は、該ＲＲＣメッセージに基づいて、サービングセルに対する上位層パラメータenable64QAMを設定してもよい。上位層パラメータenable64QAMは、ＰＵＳＣＨに対する６４ＱＡＭが有効であることを示す。
【００９２】
基地局装置３は、端末装置１に上位層パラメータenable256QAMが設定される場合、端末装置１に上位層パラメータenable64QAMも必ず設定されるようにしてもよい。上位層パラメータenable256QAMが設定される場合、端末装置１は上位層パラメータenable64QAMを無視、または、リリースしてもよい。
【００９３】
図９は、本実施形態の割り当てられた物理リソースブロックの総数（ＮＰＲＢ）、トランスポートブロックサイズインデックス（ＩＴＢＳ）、および、トランスポートブロックサイズの対応を示す図である。図９において、ＰＵＳＣＨに対して割り当てられた物理リソースブロックの総数（ＮＰＲＢ）が１であり、ＰＵＳＣＨのためのトランスポートブロックサイズインデックス（ＩＴＢＳ）が０である場合、トランスポートブロックサイズは１６である。
【００９４】
図１０は、本実施形態における０から２８のＭＣＳインデックス（ＩＭＣＳ）に対してＰＵＳＣＨにおけるトランスポートブロックに対するトランスポートブロックサイズインデックス（ＩＴＢＳ）を決定するための疑似コード（１０００）を示す図である。
【００９５】
ＤＣＩフォーマット４は、第１のＤＣＩフォーマットに含まれてもよい。ＤＣＩフォーマット０は、第１のＤＣＩフォーマット、および、第２のＤＣＩフォーマットのうちの何れか一方に含まれてもよい。
【００９６】
（１００１）上位層パラメータenable256QAMがサービングセルに対して設定されており、且つ、ＰＵＳＣＨがＣ−ＲＮＴＩによってスクランブルされたＣＲＣパリティビットをともなう第１のＤＣＩフォーマットを含むＰＤＣＣＨ／ＥＰＤＣＣＨによってスケジュールされる、且つ、同じトランスポートブロックに対するＰＵＳＣＨ初期送信がランダムアクセスレスポンスグラントによってスケジュールされていないならば、（１００２）ＰＵＳＣＨのためのトランスポートブロックサイズインデックス（ＩＴＢＳ）は、ＭＣＳインデックス（ＩＭＣＳ）および図７によって示される対応表を用いることによって与えられる。
【００９７】
（１００１）の条件を満たさない場合、（１００８）ＰＵＳＣＨのためのトランスポートブロックサイズインデックス（ＩＴＢＳ）は、ＭＣＳインデックス（ＩＭＣＳ）および図８によって示される対応表を用いることによって与えられる。
【００９８】
（１００３）上位層パラメータenable256QAMがサービングセルに対して設定されており、且つ、ＰＵＳＣＨがＣ−ＲＮＴＩによってスクランブルされたＣＲＣパリティビットをともなう第１のＤＣＩフォーマットを含むＰＤＣＣＨ／ＥＰＤＣＣＨによってスケジュールされる、且つ、同じトランスポートブロックに対するＰＵＳＣＨ初期送信がランダムアクセスレスポンスグラントによってスケジュールされているならば、（１００８）ＰＵＳＣＨのためのトランスポートブロックサイズインデックス（ＩＴＢＳ）は、ＭＣＳインデックス（ＩＭＣＳ）および図８によって示される対応表を用いることによって与えられる。
【００９９】
（１００４）上位層パラメータenable256QAMがサービングセルに対して設定されており、且つ、ＰＵＳＣＨがＣ−ＲＮＴＩによってスクランブルされたＣＲＣパリティビットをともなう第２のＤＣＩフォーマットを含むＰＤＣＣＨ／ＥＰＤＣＣＨによってスケジュールされるならば、（１００８）ＰＵＳＣＨのためのトランスポートブロックサイズインデックス（ＩＴＢＳ）は、ＭＣＳインデックス（ＩＭＣＳ）および図８によって示される対応表を用いることによって与えられる。
【０１００】
（１００５）上位層パラメータenable256QAMがサービングセルに対して設定されており、且つ、ＰＵＳＣＨがＣ−ＲＮＴＩとは異なるＲＮＴＩによってスクランブルされたＣＲＣパリティビットをともなう第１または第２のＤＣＩフォーマットを含むＰＤＣＣＨ／ＥＰＤＣＣＨによってスケジュールされるならば、（１００８）ＰＵＳＣＨのためのトランスポートブロックサイズインデックス（ＩＴＢＳ）は、ＭＣＳインデックス（ＩＭＣＳ）および図８によって示される対応表を用いることによって与えられる。ここで、Ｃ−ＲＮＴＩとは異なるＲＮＴＩは、ＳＰＳ  Ｃ−ＲＮＴＩ、および／または、Ｔｅｍｐｏｒａｒｙ  Ｃ−ＲＮＴＩを含んでもよい。
【０１０１】
（１００６）上位層パラメータenable256QAMがサービングセルに対して設定されており、且つ、ＰＵＳＣＨがランダムアクセスレスポンスグラントによってスケジュールされるならば、（１００８）ＰＵＳＣＨのためのトランスポートブロックサイズインデックス（ＩＴＢＳ）は、ＭＣＳインデックス（ＩＭＣＳ）および図８によって示される対応表を用いることによって与えられる。
【０１０２】
（１００７）上位層パラメータenable256QAMがサービングセルに対して設定されていないならば、（１００８）ＰＵＳＣＨのためのトランスポートブロックサイズインデックス（ＩＴＢＳ）は、ＭＣＳインデックス（ＩＭＣＳ）および図８によって示される対応表を用いることによって与えられる。
【０１０３】
図１１は、本実施形態における２９から３１のＭＣＳインデックス（ＩＭＣＳ）に対するＰＵＳＣＨにおけるトランスポートブロックに対するトランスポートブロックサイズ（ＩＴＢＳ）を決定するための疑似コード（１１００）を示す図である。
【０１０４】
（１１０１）０から２８のＭＣＳインデックス（ＩＭＣＳ）を用いる同じトランスポートブロックに対する第１または第２のＤＣＩフォーマットを含むＰＤＣＣＨ／ＥＰＤＣＣＨがあるならば、ＴＢＳインデックス（ＩＴＢＳ）は、図１０における（１００２）または（１００８）に応じて、０から２８のＭＣＳインデックス（ＩＭＣＳ）を用いる同じトランスポートブロックに対する第１または第２のＤＣＩフォーマットを含む最近の（最後の）ＰＤＣＣＨ／ＥＰＤＣＣＨにおいて搬送された下りリンク制御情報に基づいて決定される。ここで、該下りリンク制御情報は、図５の（ｂ）、（ｅ）、または、（ｇ）である。
【０１０５】
（１１０２）０から２８のＭＣＳインデックス（ＩＭＣＳ）を用いる同じトランスポートブロックに対する第１または第２のＤＣＩフォーマットを含むＰＤＣＣＨ／ＥＰＤＣＣＨがない、且つ、（１１０３）該同じトランスポートブロックのためのＰＵＳＣＨ初期送信が準静的に（semi-persistently）スケジュールされているならば、ＴＢＳインデックス（ＩＴＢＳ）は、図１０における（１００８）に応じて、最近の準静的スケジューリングアサインメントＰＤＣＣＨ／ＥＰＤＣＣＨに基づいて決定される。ここで、準静的スケジューリングアサインメントＰＤＣＣＨ／ＥＰＤＣＣＨは、ＳＰＳ  Ｃ−ＲＮＴＩによってスクランブルされたＣＲＣパリティビットをともなう第１または第２のＤＣＩフォーマットを含むＰＤＣＣＨ／ＥＰＤＣＣＨである。
【０１０６】
（１１０２）０から２８のＭＣＳインデックス（ＩＭＣＳ）を用いる同じトランスポートブロックに対する第１または第２のＤＣＩフォーマットを含むＰＤＣＣＨ／ＥＰＤＣＣＨがない、且つ、（１１０４）ＰＵＳＣＨ（トランスポートブロック）の送信がランダムアクセスレスポンスグラントによって開始されるならば、ＴＢＳインデックス（ＩＴＢＳ）は、図１０における（１００８）に応じて、同じトランスポートブロックに対するランダムアクセスレスポンスグラントに基づいて決定される。
【０１０７】
図１２は、本実施形態における０から２８のＭＣＳインデックス（ＩＭＣＳ）に対してＰＵＳＣＨのための変調次数（Ｑｍ）を決定するための疑似コード（１２００）を示す図である。
【０１０８】
図１２における第１のＤＣＩフォーマットは、図１０における第１のＤＣＩフォーマットと同じである。図１２における第２のＤＣＩフォーマットは、図１０における第２のＤＣＩフォーマットと同じである。ＤＣＩフォーマット４は、第１のＤＣＩフォーマットに含まれてもよい。ＤＣＩフォーマット０は、第１のＤＣＩフォーマット、および、第２のＤＣＩフォーマットのうちの何れか一方に含まれてもよい。
【０１０９】
（１２０１）上位層パラメータenable256QAMがサービングセルに対して設定されており、且つ、ＰＵＳＣＨがＣ−ＲＮＴＩによってスクランブルされたＣＲＣパリティビットをともなう第１のＤＣＩフォーマットを含むＰＤＣＣＨ／ＥＰＤＣＣＨによってスケジュールされる、且つ、同じトランスポートブロックに対するＰＵＳＣＨ初期送信がランダムアクセスレスポンスグラントによってスケジュールされていないならば、（１２０２）ＭＣＳインデックス（ＩＭＣＳ）に基づいて図７によって示される対応表からＱ’ｍが先ず読みだされ、ＰＵＳＣＨに対する変調次数（Ｑｍ）はＱｍ＝Ｑ’ｍにセットされる。ここで、図１２の（１２０１）は、図１０の（１００１）と同じである。
【０１１０】
（１２０１）の条件を満たさない場合、（１２０８または１２１０）ＭＣＳインデックス（ＩＭＣＳ）に基づいて図８によって示される対応表からＱ’ｍが先ず読みだされ、ＰＵＳＣＨのための変調次数（Ｑｍ）はＱｍ＝Ｑ’ｍ、または、Ｑｍ＝ｍｉｎ（４，Ｑ’ｍ）にセットされる。ここで、ｍｉｎは括弧の中の複数の値のうち、最も小さい値を出力する関数である。
【０１１１】
（１２０３）上位層パラメータenable256QAMがサービングセルに対して設定されており、且つ、ＰＵＳＣＨがＣ−ＲＮＴＩによってスクランブルされたＣＲＣパリティビットをともなう第１のＤＣＩフォーマットを含むＰＤＣＣＨ／ＥＰＤＣＣＨによってスケジュールされる、且つ、同じトランスポートブロックに対するＰＵＳＣＨ初期送信がランダムアクセスレスポンスグラントによってスケジュールされているならば、（１２０８）ＭＣＳインデックス（ＩＭＣＳ）に基づいて図８によって示される対応表からＱ’ｍが先ず読みだされ、ＰＵＳＣＨのための変調次数（Ｑｍ）は、Ｑｍ＝Ｑ’ｍにセットされる。ここで、図１２の（１２０３）は、図１０の（１００３）と同じである。
【０１１２】
（１２０４）上位層パラメータenable256QAMがサービングセルに対して設定されており、且つ、ＰＵＳＣＨがＣ−ＲＮＴＩによってスクランブルされたＣＲＣパリティビットをともなう第２のＤＣＩフォーマットを含むＰＤＣＣＨ／ＥＰＤＣＣＨによってスケジュールされるならば、（１２０８）ＭＣＳインデックス（ＩＭＣＳ）に基づいて図８によって示される対応表からＱ’ｍが先ず読みだされ、ＰＵＳＣＨのための変調次数（Ｑｍ）は、Ｑｍ＝Ｑ’ｍにセットされる。ここで、図１２の（１２０４）は、図１０の（１００４）と同じである。
【０１１３】
（１２０５）上位層パラメータenable256QAMがサービングセルに対して設定されており、且つ、ＰＵＳＣＨがＣ−ＲＮＴＩとは異なるＲＮＴＩによってスクランブルされたＣＲＣパリティビットをともなう第１または第２のＤＣＩフォーマットを含むＰＤＣＣＨ／ＥＰＤＣＣＨによってスケジュールされるならば、（１２０８）ＭＣＳインデックス（ＩＭＣＳ）に基づいて図８によって示される対応表からＱ’ｍが先ず読みだされ、ＰＵＳＣＨのための変調次数（Ｑｍ）は、Ｑｍ＝Ｑ’ｍにセットされる。ここで、Ｃ−ＲＮＴＩとは異なるＲＮＴＩは、ＳＰＳ  Ｃ−ＲＮＴＩ、および／または、Ｔｅｍｐｏｒａｒｙ  Ｃ−ＲＮＴＩを含んでもよい。ここで、図１２の（１２０５）は、図１０の（１００５）と同じである。
【０１１４】
（１２０６）上位層パラメータenable256QAMがサービングセルに対して設定されており、且つ、ＰＵＳＣＨがランダムアクセスレスポンスグラントによってスケジュールされるならば、（１２０８）ＭＣＳインデックス（ＩＭＣＳ）に基づいて図８によって示される対応表からＱ’ｍが先ず読みだされ、ＰＵＳＣＨのための変調次数（Ｑｍ）は、Ｑｍ＝Ｑ’ｍにセットされる。ここで、図１２の（１２０６）は、図１０の（１００６）と同じである。
【０１１５】
（１２０７）上位層パラメータenable256QAMがサービングセルに対して設定されていない、且つ、上位層パラメータenable64QAMが該サービングセルに対して設定されているならば、（１２０８）ＭＣＳインデックス（ＩＭＣＳ）に基づいて図８によって示される対応表からＱ’ｍが先ず読みだされ、ＰＵＳＣＨのための変調次数（Ｑｍ）は、Ｑｍ＝Ｑ’ｍにセットされる。
【０１１６】
（１２０９）上位層パラメータenable256QAM、および、上位層パラメータenable64QAMがサービングセルに対して設定されていないならば、（１２１０）ＭＣＳインデックス（ＩＭＣＳ）に基づいて図８によって示される対応表からＱ’ｍが先ず読みだされ、ＰＵＳＣＨのための変調次数（Ｑｍ）は、Ｑｍ＝ｍｉｎ（４，Ｑ’ｍ）にセットされる。
【０１１７】
図１３は、本実施形態における２９から３１のＭＣＳインデックス（ＩＭＣＳ）に対するＰＵＳＣＨのための変調次数（Ｑｍ）を決定するための疑似コード（１３００）を示す図である。
【０１１８】
（１３０１）０から２８のＭＣＳインデックス（ＩＭＣＳ）を用いる同じトランスポートブロックに対する第１または第２のＤＣＩフォーマットを含むＰＤＣＣＨ／ＥＰＤＣＣＨがあるならば、ＰＵＳＣＨのための変調次数（Ｑｍ）は、図１２における（１２０２）（１２０８）または（１２１０）に応じて、０から２８のＭＣＳインデックス（ＩＭＣＳ）を用いる同じトランスポートブロックに対する第１または第２のＤＣＩフォーマットを含む最近の（最後の）ＰＤＣＣＨ／ＥＰＤＣＣＨにおいて搬送された下りリンク制御情報に基づいて決定される。ここで、該下りリンク制御情報は、図５の（ｂ）、（ｅ）、または、（ｇ）である。
【０１１９】
（１３０２）０から２８のＭＣＳインデックス（ＩＭＣＳ）を用いる同じトランスポートブロックに対する第１または第２のＤＣＩフォーマットを含むＰＤＣＣＨ／ＥＰＤＣＣＨがない、且つ、（１３０３）該同じトランスポートブロックのためのＰＵＳＣＨ初期送信が準静的に（semi-persistently）スケジュールされているならば、ＰＵＳＣＨのための変調次数（Ｑｍ）は、図１２における（１２０８）または（１２１０）に応じて、最近の準静的スケジューリングアサインメントＰＤＣＣＨ／ＥＰＤＣＣＨに基づいて決定される。ここで、準静的スケジューリングアサインメントＰＤＣＣＨ／ＥＰＤＣＣＨは、ＳＰＳ  Ｃ−ＲＮＴＩによってスクランブルされたＣＲＣパリティビットをともなう第１または第２のＤＣＩフォーマットを含むＰＤＣＣＨ／ＥＰＤＣＣＨである。
【０１２０】
（１３０２）０から２８のＭＣＳインデックス（ＩＭＣＳ）を用いる同じトランスポートブロックに対する第１または第２のＤＣＩフォーマットを含むＰＤＣＣＨ／ＥＰＤＣＣＨがない、且つ、（１３０４）ＰＵＳＣＨ（トランスポートブロック）の送信がランダムアクセスレスポンスグラントによって開始されるならば、ＰＵＳＣＨのための変調次数（Ｑｍ）は、図１２における（１２０８）または（１２１０）に応じて、同じトランスポートブロックに対するランダムアクセスレスポンスグラントに基づいて決定される。
【０１２１】
図１４は、本実施形態におけるＰＵＳＣＨのための冗長バージョーン（ｒｖｉｄｘ）を決定するための疑似コード（１４００）を示す図である。
【０１２２】
（１４０１）ＭＣＳインデックス（ＩＭＣＳ）が０から２８の場合、冗長バージョーン（ｒｖｉｄｘ）は０である。（１４０２）ＭＣＳインデックス（ＩＭＣＳ）が２９の場合、冗長バージョーン（ｒｖｉｄｘ）は１である。（１４０３）ＭＣＳインデックス（ＩＭＣＳ）が３０の場合、冗長バージョーン（ｒｖｉｄｘ）は２である。（１４０４）ＭＣＳインデックス（ＩＭＣＳ）が３１の場合、冗長バージョーン（ｒｖｉｄｘ）は３である。
【０１２３】
図７の対応表におけるＭＣＳインデックス（ＩＭＣＳ）と冗長バージョーン（ｒｖｉｄｘ）の対応は、図８の対応表におけるＭＣＳインデックス（ＩＭＣＳ）と冗長バージョーン（ｒｖｉｄｘ）の対応と同じである。
【０１２４】
以下、本実施形態における装置の構成について説明する。
【０１２５】
図１５は、本実施形態の端末装置１の構成を示す概略ブロック図である。図示するように、端末装置１は、無線送受信部１０、および、上位層処理部１４を含んで構成される。無線送受信部１０は、アンテナ部１１、ＲＦ（Radio Frequency）部１２、および、ベースバンド部１３を含んで構成される。上位層処理部１４は、媒体アクセス制御層処理部１５、および、無線リソース制御層処理部１６を含んで構成される。無線送受信部１０を送信部、受信部、または、物理層処理部とも称する。
【０１２６】
上位層処理部１４は、ユーザの操作等により生成された上りリンクデータ（トランスポートブロック）を、無線送受信部１０に出力する。上位層処理部１４は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【０１２７】
上位層処理部１４が備える媒体アクセス制御層処理部１５は、媒体アクセス制御層の処理を行う。媒体アクセス制御層処理部１５は、無線リソース制御層処理部１６によって管理されている各種設定情報／パラメータに基づいて、スケジューリングリクエストの伝送の制御を行う。
【０１２８】
上位層処理部１４が備える無線リソース制御層処理部１６は、無線リソース制御層の処理を行う。無線リソース制御層処理部１６は、自装置の各種設定情報／パラメータの管理をする。無線リソース制御層処理部１６は、基地局装置３から受信した上位層の信号に基づいて各種設定情報／パラメータをセットする。すなわち、無線リソース制御層処理部１６は、基地局装置３から受信した各種設定情報／パラメータを示す情報に基づいて各種設定情報／パラメータをセットする。
【０１２９】
無線送受信部１０は、変調、復調、符号化、復号化などの物理層の処理を行う。無線送受信部１０は、基地局装置３から受信した信号を、分離、復調、復号し、復号した情報を上位層処理部１４に出力する。無線送受信部１０は、データを変調、符号化することによって送信信号を生成し、基地局装置３に送信する。
【０１３０】
ＲＦ部１２は、アンテナ部１１を介して受信した信号を、直交復調によりベースバンド信号に変換し（ダウンコンバート: down covert）、不要な周波数成分を除去する。ＲＦ部１２は、処理をしたアナログ信号をベースバンド部に出力する。
【０１３１】
ベースバンド部１３は、ＲＦ部１２から入力されたアナログ信号を、アナログ信号をディジタル信号に変換する。ベースバンド部１３は、変換したディジタル信号からＣＰ（Cyclic Prefix）に相当する部分を除去し、ＣＰを除去した信号に対して高速フーリエ変換（Fast Fourier Transform: FFT）を行い、周波数領域の信号を抽出する。
【０１３２】
ベースバンド部１３は、データを逆高速フーリエ変換（Inverse Fast Fourier Transform: IFFT）して、ＳＣ−ＦＤＭＡシンボルを生成し、生成されたＳＣ−ＦＤＭＡシンボルにＣＰを付加し、ベースバンドのディジタル信号を生成し、ベースバンドのディジタル信号をアナログ信号に変換する。ベースバンド部１３は、変換したアナログ信号をＲＦ部１２に出力する。
【０１３３】
ＲＦ部１２は、ローパスフィルタを用いてベースバンド部１３から入力されたアナログ信号から余分な周波数成分を除去し、アナログ信号を搬送波周波数にアップコンバート（up convert）し、アンテナ部１１を介して送信する。また、ＲＦ部１２は、電力を増幅する。また、ＲＦ部１２は送信電力を制御する機能を備えてもよい。ＲＦ部１２を送信電力制御部とも称する。
【０１３４】
図１６は、本実施形態の基地局装置３の構成を示す概略ブロック図である。図示するように、基地局装置３は、無線送受信部３０、および、上位層処理部３４を含んで構成される。無線送受信部３０は、アンテナ部３１、ＲＦ部３２、および、ベースバンド部３３を含んで構成される。上位層処理部３４は、媒体アクセス制御層処理部３５、および、無線リソース制御層処理部３６を含んで構成される。無線送受信部３０を送信部、受信部、または、物理層処理部とも称する。
【０１３５】
上位層処理部３４は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【０１３６】
上位層処理部３４が備える媒体アクセス制御層処理部３５は、媒体アクセス制御層の処理を行う。媒体アクセス制御層処理部３５は、無線リソース制御層処理部３６によって管理されている各種設定情報／パラメータに基づいて、スケジューリングリクエストに関する処理を行う。
【０１３７】
上位層処理部３４が備える無線リソース制御層処理部３６は、無線リソース制御層の処理を行う。無線リソース制御層処理部３６は、物理下りリンク共用チャネルに配置される下りリンクデータ（トランスポートブロック）、システムインフォメーション、ＲＲＣメッセージ、ＭＡＣ  ＣＥ（Control Element）などを生成し、又は上位ノードから取得し、無線送受信部３０に出力する。また、無線リソース制御層処理部３６は、端末装置１各々の各種設定情報／パラメータの管理をする。無線リソース制御層処理部３６は、上位層の信号を介して端末装置１各々に対して各種設定情報／パラメータをセットしてもよい。すなわち、無線リソース制御層処理部３６は、各種設定情報／パラメータを示す情報を送信／報知する。
【０１３８】
無線送受信部３０の機能は、無線送受信部１０と同様であるため説明を省略する。
【０１３９】
端末装置１が備える符号１０から符号１６が付された部のそれぞれは、回路として構成されてもよい。基地局装置３が備える符号３０から符号３６が付された部のそれぞれは、回路として構成されてもよい。
【０１４０】
以下、本実施形態における、端末装置１および基地局装置３の種々の態様について説明する。
【０１４１】
（１）本実施形態の第１の態様は、端末装置１であって、第１の制御情報（ＤＣＩフォーマット）を含む制御チャネル（ＰＤＣＣＨ）を受信する受信部１０と、前記第１の制御情報を含む前記制御チャネルの検出に基づいて、トランスポートブロックを第１の共用チャネル（ＰＵＳＣＨ）で送信する送信部１０と、を備え、第１の識別子（Ｃ−ＲＮＴＩ）によってスクランブルされたＣＲＣパリティビットをともなう前記第１の制御情報に対して、前記トランスポートブロックのサイズは、前記第１の制御情報に対応する前記トランスポートブロックと同じトランスポートブロックの初期送信のための第２の共用チャネル（ＰＵＳＣＨ）がランダムアクセスレスポンスグラントによってスケジュールされたかどうかに基づいて、前記第１の識別子によってスクランブルされたＣＲＣパリティビットをともなう前記第１の制御情報に含まれる第１の情報フィールドを用いて与えられる。
【０１４２】
（２）本実施形態の第１の態様において、前記第１の識別子によってスクランブルされたＣＲＣパリティビットをともなう前記第１の制御情報に対して、前記第１の共用チャネルに対する変調次数（modulation order）は、前記第２の共用チャネルが前記ランダムアクセスレスポンスグラントによってスケジュールされたかどうかに基づいて、前記第１の識別子によってスクランブルされたＣＲＣパリティビットをともなう前記第１の制御情報に含まれる前記第１の情報フィールドを用いて与えられる。
【０１４３】
（３）本実施形態の第１の態様において、第２の識別子（ＳＰＳ  Ｃ−ＲＮＴＩ）によってスクランブルされたＣＲＣパリティビットをともなう前記第１の制御情報に対して、前記トランスポートブロックのサイズは、前記第２の共用チャネルが前記ランダムアクセスレスポンスグラントによってスケジュールされたかどうかに関わらず、前記第２の識別子によってスクランブルされたＣＲＣパリティビットをともなう前記第１の制御情報に含まれる前記第１の情報フィールドを用いて与えられる。
【０１４４】
（４）本実施形態の第１の態様において、前記第２の識別子によってスクランブルされたＣＲＣパリティビットをともなう前記第１の制御情報に対して、前記第１の共用チャネルに対する変調次数（modulation order）は、前記第２の共用チャネルが前記ランダムアクセスレスポンスグラントによってスケジュールされたかどうかに関わらず、前記第２の識別子によってスクランブルされたＣＲＣパリティビットをともなう前記第１の制御情報に含まれる前記第１の情報フィールドを用いて与えられる。
【０１４５】
（５）本実施形態の第１の態様において、前記受信部１０は、第２の制御情報（ランダムアクセスレスポンスグラント）を含む第３の共用チャネル（ＰＤＳＣＨ）を受信し、前記送信部１０は、前記第２の制御情報に基づいて、トランスポートブロックを第４の共用チャネル（ＰＵＳＣＨ）で送信し、前記トランスポートブロックのサイズは、前記制御チャネルに含まれる前記第１の制御情報、および、前記第３の共用チャネルに含まれる前記第２の制御情報の何れによって前記トランスポートブロックの送信がスケジュールされたかに基づいて与えられる。
【０１４６】
（６）本実施形態の第２の態様は、基地局装置３であって、第１の制御情報（ＤＣＩフォーマット）を含む制御チャネル（ＰＤＣＣＨ）を送信する送信部１０と、前記第１の制御情報を含む前記制御チャネルの送信に基づいて、トランスポートブロックを第１の共用チャネルで受信する受信部１０と、を備え、第１の識別子（Ｃ−ＲＮＴＩ）によってスクランブルされたＣＲＣパリティビットをともなう前記第１の制御情報に対して、前記トランスポートブロックのサイズは、前記第１の制御情報に対応する前記トランスポートブロックと同じトランスポートブロックの初期送信のための第２の共用チャネル（ＰＵＳＣＨ）がランダムアクセスレスポンスグラントによってスケジュールされたかどうかに基づいて、前記第１の識別子によってスクランブルされたＣＲＣパリティビットをともなう前記第１の制御情報に含まれる第１の情報フィールドを用いて与えられる。
【０１４７】
（７）本実施形態の第２の態様において、前記第１の識別子によってスクランブルされたＣＲＣパリティビットをともなう前記第１の制御情報に対して、前記第１の共用チャネルに対する変調次数（modulation order）は、前記第２の共用チャネルが前記ランダムアクセスレスポンスグラントによってスケジュールされたかどうかに基づいて、前記第１の識別子によってスクランブルされたＣＲＣパリティビットをともなう前記第１の制御情報に含まれる前記第１の情報フィールドを用いて与えられる。
【０１４８】
（８）本実施形態の第２の態様において、第２の識別子（ＳＰＳ  Ｃ−ＲＮＴＩ）によってスクランブルされたＣＲＣパリティビットをともなう前記第１の制御情報に対して、前記トランスポートブロックのサイズは、前記第２の共用チャネルが前記ランダムアクセスレスポンスグラントによってスケジュールされたかどうかに関わらず、前記第２の識別子によってスクランブルされたＣＲＣパリティビットをともなう前記第１の制御情報に含まれる前記第１の情報フィールドを用いて与えられる。
【０１４９】
（９）本実施形態の第２の態様において、前記第２の識別子によってスクランブルされたＣＲＣパリティビットをともなう前記第１の制御情報に対して、前記第１の共用チャネルに対する変調次数（modulation order）は、前記第２の共用チャネルが前記ランダムアクセスレスポンスグラントによってスケジュールされたかどうかに関わらず、前記第２の識別子によってスクランブルされたＣＲＣパリティビットをともなう前記第１の制御情報に含まれる前記第１の情報フィールドを用いて与えられる。
【０１５０】
（１０）本実施形態の第２の態様において、前記送信部１０は、第２の制御情報（ランダムアクセスレスポンス）を含む第３の共用チャネルを送信し、前記受信部１０は、前記第２の制御情報に基づいて、トランスポートブロックを第４の共用チャネル（ＰＵＳＣＨ）で受信し、前記トランスポートブロックのサイズは、前記制御チャネルに含まれる前記第１の制御情報、および、前記第３の共用チャネルに含まれる前記第２の制御情報の何れによって前記トランスポートブロックの送信がスケジュールされたかに基づいて与えられる。
【０１５１】
これにより、端末装置および基地局装置は互いに、上りリンクチャネルを用いて効率的に通信することができる。
【０１５２】
本発明に関わる基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０１５３】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の一部または全部を有してもよい。
【０１５４】
本発明に関わる装置で動作するプログラムは、本発明に関わる上述した実施形態の機能を実現するように、Ｃｅｎｔｒａｌ  Ｐｒｏｃｅｓｓｉｎｇ  Ｕｎｉｔ（ＣＰＵ）等を制御してコンピュータを機能させるプログラムであっても良い。プログラムあるいはプログラムによって取り扱われる情報は、処理時に一時的にＲａｎｄｏｍ  Ａｃｃｅｓｓ  Ｍｅｍｏｒｙ（ＲＡＭ）などの揮発性メモリに読み込まれ、あるいはフラッシュメモリなどの不揮発性メモリやＨａｒｄ  Ｄｉｓｋ  Ｄｒｉｖｅ（ＨＤＤ）に格納され、必要に応じてＣＰＵによって読み出し、修正・書き込みが行なわれる。
【０１５５】
尚、上述した実施形態における装置の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現してもよい。ここでいう「コンピュータシステム」とは、装置に内蔵されたコンピュータシステムであって、オペレーティングシステムや周辺機器等のハードウェアを含むものとする。また、「コンピュータが読み取り可能な記録媒体」とは、半導体記録媒体、光記録媒体、磁気記録媒体等のいずれであってもよい。
【０１５６】
さらに「コンピュータが読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよい。
【０１５７】
また、上述した実施形態に用いた装置の各機能ブロック、または諸特徴は、電気回路、すなわち典型的には集積回路あるいは複数の集積回路で実装または実行され得る。本明細書で述べられた機能を実行するように設計された電気回路は、汎用用途プロセッサ、デジタルシグナルプロセッサ（ＤＳＰ）、特定用途向け集積回路（ＡＳＩＣ）、フィールドプログラマブルゲートアレイ（ＦＰＧＡ）、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサであってもよいし、代わりにプロセッサは従来型のプロセッサ、コントローラ、マイクロコントローラ、またはステートマシンであってもよい。汎用用途プロセッサ、または前述した各回路は、ディジタル回路で構成されていてもよいし、アナログ回路で構成されていてもよい。また、半導体技術の進歩により現在の集積回路に代替する集積回路化の技術が出現した場合、当該技術による集積回路を用いることも可能である。
【０１５８】
なお、本願発明は上述の実施形態に限定されるものではない。実施形態では、装置の一例を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来る。
【０１５９】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０１６０】
１（１Ａ、１Ｂ、１Ｃ）  端末装置
３  基地局装置
１０  無線送受信部
１１  アンテナ部
１２  ＲＦ部
１３  ベースバンド部
１４  上位層処理部
１５  媒体アクセス制御層処理部
１６  無線リソース制御層処理部
３０  無線送受信部
３１  アンテナ部
３２  ＲＦ部
３３  ベースバンド部
３４  上位層処理部
３５  媒体アクセス制御層処理部
３６  無線リソース制御層処理部
【図１】
2017073135.tif 000003
【図２】
2017073135.tif 000004
【図３】
2017073135.tif 000005
【図４】
2017073135.tif 000006
【図５】
2017073135.tif 000007
【図６】
2017073135.tif 000008
【図７】
2017073135.tif 000009
【図８】
2017073135.tif 000010
【図９】
2017073135.tif 000011
【図１０】
2017073135.tif 000012
【図１１】
2017073135.tif 000013
【図１２】
2017073135.tif 000014
【図１３】
2017073135.tif 000015
【図１４】
2017073135.tif 000016
【図１５】
2017073135.tif 000017
【図１６】
2017073135.tif 000018
【国際調査報告】
2017073135.tif 000019
2017073135.tif 000020